(57)【特許請求の範囲】
【請求項１】
一方を建物に固定され、他方を複数の柱に支持されてなる簡易屋根であって、複数の柱の上端部にキャップを備え、このキャップの上面部間に掛け渡される前枠を備え、この前枠はキャップの上面部に形成された前後方向に延びる溝に嵌まって当該前枠の前後移動を案内する案内部を備え、前記キャップの上面部と前枠間には前枠の許容範囲以上の前後移動を規制する規制部を備えたことを特徴とする簡易屋根。
【発明の詳細な説明】
【０００１】
【発明の属する技術分野】
本発明は、複数の柱の上端部間に掛け渡される前枠を有し、この前枠を前後方向に移動可能にした簡易屋根に関する。
【０００２】
【従来の技術】
一般に、一方を建物に固定され、他方を複数の柱に支持されてなる簡易屋根であって、複数の柱の上端部間に掛け渡される前枠と、この前枠と平行に延びて躯体側に固定される垂木掛けと、垂木掛けと前枠間に掛け渡される複数の端部垂木或いは中間垂木とを備え、これら垂木間に屋根パネルを固定してなるバルコニー等の簡易屋根が知られている。
【０００３】
この種のものでは、施工業者によって前枠と垂木掛けとが相互に平行配置されるが、躯体に変形等がある場合には、これらが必ずしも平行配置されるとは限らず、この場合、前枠を前後方向に微少移動させながら前枠と垂木掛け間の平行度を調整して、垂木掛けと前枠間に複数の端部垂木或いは中間垂木を掛け渡す作業を行なうのが一般的である。
【０００４】
【発明が解決しようとする課題】
しかし、従来の構成では、前枠を柱の上端部の幅寸法以上に前後移動させた場合、前枠が柱の上端部から外れて落下する等の危険がある。
【０００５】
そこで、本発明の目的は、上述した従来の技術が有する課題を解消し、施工時に、柱の上端部で前枠を前後移動させる場合、誤って前枠が落下するおそれのない簡易屋根を提供することにある。
【０００６】
【課題を解決するための手段】
請求項１記載の発明は、一方を建物に固定され、他方を複数の柱に支持されてなる簡易屋根であって、複数の柱の上端部にキャップを備え、このキャップの上面部間に掛け渡される前枠を備え、この前枠はキャップの上面部に形成された前後方向に延びる溝に嵌まって当該前枠の前後移動を案内する案内部を備え、前記キャップの上面部と前枠間には前枠の許容範囲以上の前後移動を規制する規制部を備えたことを特徴とするものである。
【０００７】
本発明では、キャップの上面部と前枠間には前枠の許容範囲以上の前後移動を規制する規制部を備えたため、前枠を柱の上端部で前後移動させた場合、前枠が柱の幅寸法以上に移動することがなくなり、前枠が柱の上端部から外れて落下するといった不都合が解消される。
【０００８】
【発明の実施の形態】
以下に、本発明の実施の形態を添付図面に基いて詳述する。
【０００９】
図１は、バルコニー等の簡易屋根を示す。この簡易屋根１は、一方を建物に固定され、他方を複数３の柱に支持されてなる簡易屋根であって、複数の柱３の上端部間に掛け渡される前枠５と、この前枠５と平行に延びて躯体（図示せず）側に固定される垂木掛け７と、垂木掛け７と前枠５間に掛け渡される複数の端部垂木９、或いは中間垂木１１と、これら垂木９，１１間に前枠５と略平行に延びて掛け渡される複数の野縁１３とを備え、これら垂木９，１１及び複数の野縁１３間に樹脂製の屋根パネル１７を備えて構成される。
【００１０】
この簡易屋根１の組立手順を説明すると、まず、複数の柱３を立て、この複数の柱３の上端部間に前枠５を載せて掛け渡す。
【００１１】
ついで、躯体（図示せず）側に垂木掛け７を固定し、この垂木掛け７と前枠５間に両端の端部垂木９を掛け渡す。つぎに、図１で左端に位置する屋根パネル１７Ａを取り付ける。この屋根パネル１７Ａは、その両縁部１７Ｂを、垂木掛け７と前枠５のそれぞれの内側に形成された溝に差し込んだ後、矢印Ａの方向にスライドして取り付ける。この屋根パネル１７Ａのスライドが完了すると、屋根パネル１７Ａの前縁部１７Ｃが、端部垂木９の内側に形成された溝に嵌合され、その後、屋根パネル１７Ａの後縁部１７Ｄを、中間垂木１１の内側に形成された溝に嵌合させるようにして、この中間垂木１１を、垂木掛け７と前枠５間にねじ等を介して固定し、中間垂木１１と端部垂木９間に野縁１３を掛け渡し、この野縁１３を中間垂木１１と端部垂木９にねじ等を介して固定する。
【００１２】
つぎに、同様の手順で、屋根パネル１７Ｅが取り付けられ、中間垂木１１が取り付けられ、屋根パネル１７Ｆが取り付けられ、最後に、図１で右端に位置する端部垂木９が取り付けられて組立が完了する。
【００１３】
図２及び図３は、柱３と前枠５との結合部を示す。
【００１４】
この柱３は角パイプであり、その上端開口には樹脂製のキャップ２１が取り付けられる。このキャップ２１は、柱３の外径と略同一径であり、キャップ２１の胴部２１Ａが柱３の内周に嵌合された場合、そのつば部２１Ｂは柱３の外側にほとんど張り出さない。このキャップ２１には前後方向に延びる溝２１Ｃが形成されており、この溝２１Ｃに対応して、柱３の上端部にも、一対のＵ字溝３Ａが前後方向に形成されている。
【００１５】
一方、前枠５はアルミニウム製型材であり、その端部５Ａには、樹脂製の案内部材３１が取り付けられている。
【００１６】
この案内部材３１は、上記端部５Ａの下面に固定される固定部３１Ａと、この固定部３１Ａから垂下し、上記溝２１Ｃ及び一対のＵ字溝３Ａに嵌まり、前後方向に延びる案内部３１Ｂとを備えて構成される。
【００１７】
この案内部材３１は金属製の取付部材３３を介して前枠５の端部５Ａに取り付けられる。この取付部材３３は、前枠５の端部５Ａに形成された孔部５Ｂに嵌合する嵌合部３３Ａと、固定部３１Ａの開口３１Ｃから固定部３１Ａの下側に突出する断面Ｌ字形の挟持部３３Ｂとを一体に備えて構成される。
【００１８】
この案内部材３１を前枠５の端部５Ａに取り付ける場合、取付部材３３の挟持部３３Ｂを、案内部材３１の固定部３１Ａの開口３１Ｃに挿入し、案内部材３１を平行に僅かにずらして挟持部３３Ｂの先端を固定部３１Ａの裏側に潜り込ませ、この状態で、取付部材３３の嵌合部３３Ａを、端部５Ａの孔部５Ｂに嵌合し、嵌合部３３Ａと固定部３１Ａとで孔部５Ｂの下片５Ｃを挟み込む。
【００１９】
ついで、固定部３１Ａの下からボルト３５を通し、このボルト３５を嵌合部３３Ａのめねじ孔３３Ｃにねじ込んで、嵌合部３３Ａと固定部３１Ａ間を強く締め込んで取り付ける。なお、取り付けた状態では、案内部材３１の端縁３１Ｄが前枠５の端部５Ａの端面と一致する。
【００２０】
柱３と前枠５とを結合する場合、柱３の上端開口に取り付けられたキャップ２１の溝２１Ｃ及び一対のＵ字溝３Ａに、案内部材３１の案内部３１Ｂを嵌め込み、しかる後、ボルト３７を貫通して結合する。
【００２１】
このボルト３７は、柱３の上端に形成されたボルト孔３Ｂ、キャップ２１に形成されたボルト孔２１Ｄを貫通し、さらに、ボルト孔２１Ｄに対応した案内部材３１の案内部３１Ｂを貫通する。
【００２２】
この構成では、一本のボルト３５を用いて前枠５の端部５Ａに案内部材３１を取り付けることができ、一本のボルト３７を用いて柱３と前枠５とを結合することができる。従って、ボルトの本数を最小限に止めることができ、部品点数の削減が図られる。また、取付部材３３と案内部材３１とによって、孔部５Ｂの下片５Ｃを挟み込んで固定するため、前枠５の端部５Ａに案内部材３１が強固に取り付けられる。従って、例えば台風等により前枠５が上方に煽られても、前枠５の端部５Ａと案内部材３１とが簡単に離れることはない。
【００２３】
ところで、上述した組立手順において、施工業者は、前枠５と垂木掛け７とを相互に平行配置させるが、例えば、躯体に変形等がある場合、これらが必ずしも平行配置されるとは限らない。
【００２４】
そのため、施工業者は、キャップ２１の溝２１Ｃ及び一対のＵ字溝３Ａに、案内部材３１の案内部３１Ｂを嵌め込んだ状態で、前枠５を前後方向に微少移動させて、前枠５と垂木掛け７間の平行度を調整した上で、案内部材３１と柱３間を上記ボルト３７で固定する。
【００２５】
本実施形態では、図２に示すように、キャップ２１の上面に一対のリブ２１Ｅ，２１Ｆが立設されており、一方のリブ２１Ｅとキャップ２１の土手２１Ｇ間に、固定部３１Ａの開口３１Ｃから固定部３１Ａの下側に突出した、上記取付部材３３の挟持部３３Ｂが延在する。
【００２６】
この構成では、前枠５を前後方向に移動させる場合、前枠５が前に移動しすぎると、挟持部３３Ｂが一方のリブ２１Ｅに当たり、前枠５が後ろに移動しすぎると、挟持部３３Ｂが土手２１Ｇに当たって、それ以上の移動が規制されるため、前枠５が、柱３の上端部の幅寸法以上に前後移動することがなく、前枠５が柱３の上端部から外れて落下するトラブルが未然に防止される。リブ２１Ｅと土手２１Ｇと挟持部３３Ｂとは規制部を構成する。
【００２７】
上記他方のリブ２１Ｆは、キャップ２１が、図２で左端に位置する柱（図示せず）の上端開口に取り付けられた場合に規制部として機能するものであり、キャップ２１の上面に一対のリブ２１Ｅ，２１Ｆを立設することにより、キャップ２１の共用化が図られる。
【００２８】
本実施形態では、キャップ２１の上面部と、案内部材３１の下面部との間に、前枠５の許容範囲以上の前後移動を規制する規制部２１Ｅ，２１Ｇ，３３Ｂを備えたため、施工時に、柱３の上端部で前枠５を前後移動させる場合、柱３の上端部の幅寸法以上に前後移動することがなく、誤って前枠５が柱３の上端部から外れて落下するといった不都合が解消される。
【００２９】
また、キャップ２１の上面部と案内部材３１の下面部との間に、規制部２１Ｅ，２１Ｇ，３３Ｂを備えたため、この規制部は、柱３の上端部内に収まり、柱３の外側に張り出すことがない。従って、前枠５の長さは、柱間距離分の寸法があればよく、柱３間に取り付けられる前枠５の長さを長くする必要がなく、材料コストの削減が図れると共に、規制部が張り出し構造とならないため、見栄えが良く、美観が向上する、等の効果が得られる。
【００３０】
以上、本発明の実施形態を図面により詳述してきたが、本発明は上記実施形態に限定されるものではなく、本発明の要旨を逸脱しない範囲での種々の設計変更等が可能である。
【００３１】
【発明の効果】
本発明では、キャップの上面部と前枠間に前枠の許容範囲以上の前後移動を規制する規制部を備えたため、前枠を柱の上端部で前後移動させた場合、前枠が柱の幅寸法以上に移動することがなくなり、前枠が柱の上端部から外れて落下するといった不都合が解消される。
【図面の簡単な説明】
【図１】本発明による簡易屋根の一実施形態を示す分解斜視図である。
【図２】柱と前枠との結合部を示す分解斜視図である。
【図３】柱と前枠との結合部を示す断面図である。
【符号の説明】
１  簡易屋根
３  柱
５  前枠
７  垂木掛け
９  端部垂木
１１  中間垂木
１３  野縁
１７  屋根パネル
２１  キャップ
２１Ｃ  溝
２１Ｅ，２１Ｇ，３３Ｂ  規制部
３１  案内部材
３１Ｂ  案内部
３３  取付部材
【図１】
0004711558.tif 000002
【図２】
0004711558.tif 000003
【図３】
0004711558.tif 000004